(57)【要約】【課題】左右の光学素子サイズが同じ構成からなり、左右の光学系の開口数ＮＡを独立に変更できる実体顕微鏡を提供すること。【解決手段】左右一対の観察光学系ＩＬ、ＩＲと、前記左右一対の観察光学系の光路中にそれぞれ配置された可変開口絞り３０Ｌ、３０Ｒと、前記可変開口絞りの開口径を左右独立に変える独立可変手段３２Ｌ、３２Ｒと、を有することを特徴とする実体顕微鏡１００。【選択図】図１
2010122460.tif 000002
【特許請求の範囲】
【請求項１】
左右一対の観察光学系と、
前記左右一対の観察光学系の光路中にそれぞれ配置された可変開口絞りと、
前記可変開口絞りの開口径を左右独立に変える独立可変手段と、
を有することを特徴とする実体顕微鏡。
【請求項２】
前記可変開口絞りの開口径を左右連動して変える連動可変手段を有することを特徴とする請求項１に記載の実体顕微鏡。
【請求項３】
前記可変開口絞りは、
複数の絞り羽根と、
光軸を中心として回動することで前記絞り羽根の一端部を径方向に移動して開口径を変える回転部材と、
前記回転部材の外方に延在する腕部材と、
前記腕部材に配置されたばね部材とを有し、
前記ばね部材は、前記絞り羽根に基づく前記開口径を大きくする方向、または小さくする方向に前記腕部材の回動を付勢することを特徴とする請求項１または２に記載の実体顕微鏡。
【請求項４】
前記独立可変手段は、前記腕部材の端部近傍に配置された二つの独立摺動部材を有し、
前記連動可変手段は、前記腕部材の端部近傍に配置された連動摺動部材を有することを特徴とする請求項１から３のいずれか１項に記載の実体顕微鏡。
【請求項５】
前記独立摺動部材は、前記腕部材の端部に配置されたピン部材の一端部に係合する係合部と、前記独立摺動部材に取り付けられた独立ツマミとを有し、
前記独立ツマミをネジ締めすることにより前記腕部材を所定の位置に固定できることを特徴とする請求項１から４のいずれか１項に記載の実体顕微鏡。
【請求項６】
前記連動摺動部材は、前記ピン部材の他端部に接触する壁部と、前記連動摺動部材に取り付けられた連動ツマミとを有し、
前記連動ツマミ部材をネジ締めすることにより前記腕部材を所定の位置に固定できることを特徴とする請求項１から３のいずれか１項に記載の実体顕微鏡。
【請求項７】
前記観察光学系は、変倍光学系を有し、
前記可変開口絞りは、前記変倍光学系中に配置されていることを特徴とする請求項１から６のいずれか１項に記載の実体顕微鏡。
【請求項８】
前記変倍光学系は、アフォーカル光学系であることを特徴とする請求項７に記載の実体顕微鏡。
【発明の詳細な説明】
【技術分野】
【０００１】
本発明は、可変開口絞りを有する実体顕微鏡に関する。
【背景技術】
【０００２】
従来、実体顕微鏡の有効径（開口数ＮＡ）を左右の光学系で異なるように構成し、有効径（ＮＡ）の大きい光学系では高解像度の像を取得し、有効径（ＮＡ）の小さい光学系では深い焦点深度の像を取得することにより、高解像度で深い焦点深度の像を観察可能な実体顕微鏡が提案されている（例えば、特許文献１参照）。
【特許文献１】特開２００７−６５６５１号公報
【発明の開示】
【発明が解決しようとする課題】
【０００３】
しかしながら、従来の実体顕微鏡は、左右光学系の有効径（ＮＡ）を異なるものにするため、使用する光学素子サイズを左右光学系で異なるサイズにし、かつ有効径の大きい光学系を左右どちらかに固定してあるため、左右の開口数ＮＡを独立に変える事ができないと言う問題がある。
【０００４】
本発明は、上記課題に鑑みてなされたものであり、左右の光学素子サイズが同じ構成からなり、左右の光学系の開口数ＮＡを独立して変えることができる実体顕微鏡を提供することを目的とする。
【課題を解決するための手段】
【０００５】
上記課題を解決するため、本発明は、左右一対の観察光学系と、前記左右一対の観察光学系の光路中にそれぞれ配置された可変開口絞りと、前記可変開口絞りの開口径を左右独立に変える独立可変手段と、を有することを特徴とする実体顕微鏡を提供する。
【発明の効果】
【０００６】
本発明によれば、左右の光学素子サイズが同じ構成からなり、左右の光学系の開口数ＮＡを独立に変更できる実体顕微鏡を提供することができる。
【発明を実施するための最良の形態】
【０００７】
以下、本発明の一実施の形態にかかる実体顕微鏡について図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。
【０００８】
図１は、実施の形態にかかる実体顕微鏡であり、（ａ）は正面図、（ｂ）は側面図をそれぞれ示す。
【０００９】
図１（ａ）、（ｂ）において、実体顕微鏡１００は、標本１１を載置するベース１２が配置され、ベース１２の基部に支柱１３が固定されている。支柱１３には上下動機構１４が取り付けられ、また上下機構部１４には実体顕微鏡１００のズーム部１５が取り付けられている。アフォーカル光学系から構成されるズーム部１５の下部（ベース１２）側には交換可能な対物レンズ１６が、ズーム部１５の上部には鏡筒１７が、鏡筒１７には左右の接眼レンズ１８Ｌ、１８Ｒがそれぞれ取り付けられている。
【００１０】
上下動機構１４の左右の側面には標本１１に焦点を合わせるための焦準ハンドル２０Ｌ、２０Ｒが配置されている。焦準ハンドル２０Ｌ、２０Ｒは同軸に構成されており、標本１１に焦点を合わせるとき左右いずれかの焦準ハンドル２０Ｌ、２０Ｒを回転することで、ズーム部１５を上下方向に移動する。
【００１１】
ズーム部１５の内部には、左右のズーム光学系を構成するそれぞれの光学部材１５ａＬ、１５ａＲ、１５ｂＬ、１５ｂＲ、１５ｃＬ、１５ｃＲ、１５ｄＬ、１５ｄＲ、および後述する可変開口絞り３０Ｌ、３０Ｒを内蔵する開口絞り部材３０が配置されている。また、ズーム部１５の正面には、スリット状の開口部８１、８２が設けられている。可変開口絞り３０Ｌ、３０Ｒの開口径を連動して可変するための連動ツマミ３１と、可変開口絞り３０Ｌ、３０Ｒの開口径を独立に可変するための独立ツマミ３２Ｌ、３２Ｒが、これら開口部８１、８２を介して開口絞り部材３０に取り付けられている。
【００１２】
ズーム部１５の左右の側面にはズーム光学系を移動させるためのズームノブ１９Ｌ、１９Ｒがそれぞれ配置されている。ズームノブ１９Ｌ、１９Ｒは同軸に構成されており、変倍に際して左右いずれかのズームノブ１９Ｌ、１９Ｒを回転することで、不図示のカム機構を介して光学部材１５ｂＬ、１５ｂＲ、１５ｃＬ、１５ｃＲを光軸に沿って移動する。なお、変倍に際し可変開口絞り３０Ｌ、３０Ｒを他の光学部材と共に移動するように構成しても良い。
【００１３】
鏡筒１７には左右の結像レンズ１７ａＬ、１７ａＲ、と正立プリズム１７ｂＬ、１７ｂＲがそれぞれ内蔵されている。また、鏡筒１７は左右の接眼レンズ１８Ｌ、１８Ｒの位置を観察者の眼幅に合わせる為の眼幅調整機構を有している。
【００１４】
標本１１からの光は、左右共通の対物レンズ１６で集光され、左右の光軸ＩＬ、ＩＲに沿って進行し接眼レンズ１８Ｌ、１８Ｒにより像が観察者により観察される。本実体顕微鏡１００では、対物レンズ１６を射出した光の左右の光軸ＩＬ、ＩＲは平行となる平行系の実体顕微鏡である。このようにして、実施の形態にかかる実体顕微鏡１００が構成されている。
【００１５】
また、実施の形態にかかる実体顕微鏡１００では、可変開口絞り部材３０は左右の光軸ＩＬ、ＩＲに配置された可変開口絞り３０Ｌ、３０Ｒの開口径を左右連動して変更できる構成であり、また左右の開口径を独立して変更することができる構成である。
【００１６】
以下、可変開口絞り部材３０の構成、動作について、図２〜図４を参照しつつ説明する。
【００１７】
図２は、実施の形態の実体顕微鏡に配置されている可変開口絞り部材の断面図を示す。図３は、可変開口絞り部材の分解図を示し、（ａ）は開口絞りが全開状態を、（ｂ）は開口絞りを絞った状態をそれぞれ示す。なお、開口絞り３０Ｌ、３０Ｒを構成する部材は左（Ｌ）、右（Ｒ）とも同様の部材を使用しており、以下の説明では符号をまとめて表記して説明する。
【００１８】
図２〜図３において、開口絞り部材３０は、板部材３３と板部材３４とで構成されるハウジング部材中に、複数（実施の形態では６枚）の絞り羽根３５（ａ〜ｆ）と、６枚の絞り羽根３５の一端部を径方向に移動することで開口径を変える回転部材３６（Ｌ、Ｒ）と、回転部材３６を摺動可能に保持する保持部材９０と、回転部材３６の外周部から外方に延在する腕部３６ａ（Ｌ、Ｒ）に配設されたピン部材３７と、ピン部材３７の一方の端部３７ａに接触し連動ツマミ３１で移動する連動摺動部材３８と、ピン部材３７の他端部３７ｂに係合し独立ツマミ３２（Ｌ、Ｒ）でそれぞれ移動する独立摺動部材３９Ｌ、３９Ｒが内蔵されている。また、ハウジング部材である板部材３３、３４には、標本１１からの光を透過するための開口部３３ａ、３４ａが形成されている。
【００１９】
図３に示すように、板部材３３の開口部３３ａ周辺部は、絞り羽根３５を収納するための空間を形成するザグリ部３３ｂが形成され、このザグリ部３３ｂの開口部３３ａの周辺部には６個の穴４１（ａ〜ｆ）が設けられている。この６個の穴４１には絞り羽根３５の一方の端部下側に配置されているピン４２（ａ〜ｆ）がそれぞれ嵌挿されている。６枚の絞り羽根３５はお互いに重ね合わされて板３３のザグリ部３３ｂに収納される。絞り羽根３５の他方の端部上側に配置されているピン４３（ａ〜ｆ）は回転部材３６に形成された径方向に長い長穴４４（ａ〜ｆ）に嵌挿されている。そして、絞り羽根３５と回転部材３６は、図２に示す板部材３４および保持部材９０と板部材３３とで回動可能に挟持されている。
【００２０】
図３（ａ）、（ｂ）に示すように、腕部材３６ａ（Ｌ、Ｒ）により回転部材３６を回動することで、回転部材３６の長穴４４に嵌挿されたピン４３が、径方向に移動することで絞り羽根３５が移動し、開口絞り径を開放（図３（ａ））から最小径（図３（ｂ））まで変更することができる。
【００２１】
次に、開口絞り３０（Ｌ、Ｒ）の開口径可変動作の連動、独立について図２と図４を参照しつつ説明する。
【００２２】
図４は、可変開口絞り部材の動作を説明する図であり、（ａ）は図２のＡ−Ｂ線の断面図を示し、左右の開口絞りが開放状態を、（ｂ）は図２のＡ−Ｂ線の断面図を示し、左右の開口絞りが絞られた状態を、（ｃ）は図２のＡ−Ｃ線の断面図を示し、左右の開口絞りの開口径を独立に変えた状態をそれぞれ示す。
【００２３】
図４（ａ）〜（ｃ）において、回転部材３６（Ｌ、Ｒ）から延在する腕部３６ａ（Ｌ、Ｒ）の途中に配置されたピン３６ｂ（Ｌ、Ｒ）と板部材３３に配置されたピン４５（Ｌ、Ｒ）との間にバネ部材（例えば、コイルバネ等）４６（Ｌ、Ｒ）が配設されている。バネ部材４６は、可変開口絞り３０（Ｌ、Ｒ）の開口径を全開とする方向に腕部３６ａ（Ｌ、Ｒ）を付勢するように構成されている。
【００２４】
また、板部材３３の内側（回転部材３６を内包する側）には溝部５１が形成され、この溝部５１に左右の可変開口絞り３０（Ｌ、Ｒ）の開口径を連動して可変するための連動摺動部材３８が摺動可能に内蔵されている。連動摺動部材３８には腕部３６ａ（Ｌ、Ｒ）の端部近傍に配置されているピン３７ａ（Ｌ、Ｒ）が当接する壁部３８ａ（Ｌ、Ｒ）がそれぞれ形成されている。また、連動摺動部材３８には連動ツマミ３１がネジにより取り付けられている。
【００２５】
また、板部材３４の内側（回転部材３６を内包する側）に溝部５２が形成され、この溝部５２に可変開口絞り３０Ｌ、３０Ｒの開口径を独立に可変するための左右の独立摺動部材３９（Ｌ、Ｒ）が摺動可能に内蔵されている。左側の独立摺動部材３９Ｌには、この独立摺動部材３９Ｌを移動するための左独立ツマミ３２Ｌが、右側の独立摺動部材３９Ｒには、この独立摺動部材３９Ｒを移動するための右独立ツマミ３２Ｒがそれぞれネジにより取り付けられている。また、独立摺動部材３９（Ｌ、Ｒ）には、腕部３６ａ（Ｌ、Ｒ）の端部近傍に配置されているピン３７ｂ（Ｌ、Ｒ）が摺動可能に係合する係合部である溝部３９Ｌａ、３９Ｒｂがそれぞれ形成されている。なお、独立摺動部材３９（Ｌ，Ｒ）には、連動摺動部材３８と同様に、ピン３７ａ（Ｌ，Ｒ）が当接する壁部（不図示）を設けても良い。
【００２６】
可変開口絞り３０（Ｌ、Ｒ）の開口径を連動して変更する場合について説明する。
【００２７】
図４（ａ）〜（ｂ）に示すように、可変開口絞り３０（Ｌ、Ｒ）を連動して開口径を変える場合は、ユーザが連動ツマミ３１を図４（ｂ）に示すように右方向にスライドさせる。これにより連動ツマミ３１に接続された連動摺動部材３８が溝部５１に沿って移動し、連動摺動部材３８に形成されている壁部３８Ｌ、３８Ｒの右側壁に当接したピン３７ａ（Ｌ、Ｒ）を介して腕部３６ａ（Ｌ、Ｒ）が右方向に一緒に移動する。これにより回転部材３６（Ｌ、Ｒ）が回転し、ユーザは左右の可変開口絞り３０（Ｌ、Ｒ）の開口径を全開状態（図４（ａ））から所望の開口径（例えば、図４（ｂ））に変更することができる。その後、ユーザは連動ツマミ３１をネジ締めして連動摺動部材３８を板部材３３に締め付け固定することで、可変開口絞り３０（Ｌ、Ｒ）の開口径を所望の開口径に維持することができる。
【００２８】
開口径を全開状態に戻すときは、連動ツマミ３１のネジ締めを緩めると、腕部３６ａ（Ｌ、Ｒ）に取り付けられているバネ部材４６（Ｌ、Ｒ）の付勢力により腕部材３６ａ（Ｌ、Ｒ）が左方向に移動すると共に、ピン３７ａ（Ｌ、Ｒ）が壁部３８（Ｌ、Ｒ）を押圧して連動摺動部材３８を左方向に移動する。この例では、可変開口絞り３０（Ｌ、Ｒ）は、連動摺動部材３８が左端に位置決めされたときに開口径が全開状態となるように構成されている。なお、可変開口絞り３０（Ｌ、Ｒ）は、連動摺動部材３８が右端に位置決めされたときに開口径が全開状態となるように構成することもできる。この場合、バネ部材４６（Ｌ、Ｒ）の配置場所が腕部材３６ａ（Ｌ、Ｒ）の右側となり、ピン３７ａ（Ｌ、Ｒ）が当接する壁部３８（Ｌ、Ｒ）の位置が壁部３８（Ｌ、Ｒ）の左側になり、連動ツマミ３１の移動方向が左方向となる。
【００２９】
このように、実施の形態にかかる実体顕微鏡１００では、左右の可変開口絞り３０（Ｌ、Ｒ）は、連動ツマミ３１を所定の位置に移動し止めることにより、開口径を全開から最小径までの間の所定の径に左右連動して変更することができる。
【００３０】
次に、可変開口絞り３０（Ｌ、Ｒ）の開口径を左右独立に変更する場合について説明する。なお、図４（ｃ）において、図４（ａ）、（ｂ）と同様の構成は図４（ａ）、（ｂ）を参照することにし、図４（ｃ）では一部の符号を省略している部材もある。
【００３１】
図４（ｃ）は、左右の可変開口絞り３０Ｌ、３０Ｒの開口径を異なる状態に設定した一例を示している。左右の開口径を異なる径にするには、連動ツマミ３１を所定の位置に固定する。例えば、図４（ｃ）に示す状態では、連動ツマミ３１は左端の状態に設定しているので可変開口絞り３０（Ｌ、Ｒ）は両方とも全開状態となっている（図４（ａ）と同様）。また腕部３６ａ（Ｌ、Ｒ）は、連動摺動部材３８の壁部３８（Ｌ、Ｒ）の右側に空間を有するため右方向に自由に移動できるよう構成されている。
【００３２】
次に、図４（ｃ）に示すように独立ツマミ３２Ｌを右方向に移動する。このとき、独立ツマミ３２Ｌが取り付けられている左独立摺動部材３９Ｌが板部材３４（図２参照）に形成された溝部５２に沿って右方向に移動し、左独立摺動部材３９Ｌの溝部３９Ｌａに係合したピン３７ｂＬを介して腕部３６ａＬが動かされ、また腕部３６ａＬの動きに応じて回転部材３６Ｌが回動し、絞り羽根３５（ａ〜ｆ）（図３参照）がそれぞれ移動して開口径を全開状態から所定の径まで変化させる。開口径が所定の径に達した状態で、独立ツマミ３２Ｌをネジ締めし、板部材３４に左独立摺動部材３９Ｌを締め付け固定する。また、図４（ｃ）に示すように、可変開口絞り３０Ｒの開口径が全開状態で良いときは、独立ツマミ３２Ｒをネジ締めして摺動部材３９Ｒを板部材３４に締め付け固定する。以上の操作で、可変開口絞り３０Ｌ、３０Ｒの開口径を独立に変更した状態にすることができ、図４（ｃ）に示すように、左側の可変開口絞り３０Ｌの径が小さく、右側の可変開口絞り３０Ｒの径が大きい状態に固定することができる。
【００３３】
また、上記とは逆に可変開口絞り３０Ｌ側を全開にし、右側の可変開口絞り３０Ｒの径を変えたい場合、独立ツマミ３２Ｌは、図４（ｃ）の左側端部にネジ締めし、独立ツマミ３２Ｒのネジ締めを緩め、独立ツマミ３２Ｒを開口径が所定の径になるまで右方向にスライドし、所定の径になったのち独立ツマミ３２Ｒをネジ締めすることで達成することができる。
【００３４】
このように、独立ツマミ３２（Ｌ、Ｒ）をそれぞれ所定位置まで移動することで、左右の可変開口絞り３０（Ｌ、Ｒ）の径をそれぞれ独立に所定の径に設定ることができる。
【００３５】
また、連動ツマミ３１で、左右の可変開口絞り３０（Ｌ、Ｒ）の径を全開以外の径で径の大きい状態に設定したのち、独立ツマミ３２（Ｌ、Ｒ）により左右のいずれか一方の径を小さい状態に設定することができる。
【００３６】
なお、可変開口絞り３０（Ｌ、Ｒ）の初期開口径が最小径になるように構成されている場合には（左端で開口径が最小径になる場合）、連動ツマミ３１で、左右の可変開口絞り３０（Ｌ、Ｒ）の径を最小径以外の径の小さい状態に設定したのち、独立ツマミ３２（Ｌ、Ｒ）により左右のいずれか一方の径を大きい状態に設定することができる。
【００３７】
以上述べたように、本実体顕微鏡では、左右の可変開口絞りの開口径を連動して同じ径に設定できる。あるいは、左右の可変開口絞りの開口径を左右独立に設定することができる。これにより、本実体顕微鏡は、左右の開口数（ＮＡ）をそれぞれ任意に設定することができる。また、本実体顕微鏡は、ユーザの効き目の違いにより、左右開口数の設定をユーザ毎に変更することができる。これにより、右眼の開口数が大きい場合、あるいは左眼の開口数が大きい場合のいずれの場合にも対応可能な汎用性の高い実体顕微鏡を提供することができる。
【図面の簡単な説明】
【００３８】
【図１】実施の形態にかかる実体顕微鏡であり、（ａ）は正面図、（ｂ）は側面図をそれぞれ示す。
【図２】実施の形態の実体顕微鏡に配置されている可変開口絞り部材の断面図を示す。
【図３】可変開口絞りの分解図を示し、（ａ）は開口絞りが全開状態を、（ｂ）は開口絞りを絞った状態をそれぞれ示す。
【図４】可変開口絞り部材の動作を説明する図であり、（ａ）は図２のＡ−Ｂ線の断面図を示し、左右の開口絞りが開放状態を、（ｂ）は図２のＡ−Ｂ線の断面図を示し、左右の開口絞りが絞られた状態を、（ｃ）は図２のＡ−Ｃ線の断面図を示し、左右の開口絞りの開口径を独立に変えた状態をそれぞれ示す。
【符号の説明】
【００３９】
１００  実体顕微鏡
１１    標本
１２    ベース部
１３    支柱
１４    上下動機構
１５    ズーム部
１６    対物レンズ
１７    鏡筒
１８    接眼レンズ
１９    ズームノブ
２０    焦準ハンドル
３０    可変開口絞り部材
３１    連動ツマミ
３２    独立ツマミ
３３、３４  板部材
３５    絞り羽根
３６    回転部材
３６ａ  腕部材
３７    ピン部材
３８    連動摺動部材
３９    独立摺動部材
４１    穴
４２、４３  ピン
４４    長穴
４６    バネ部材
５１、５２  溝部
８１、８２  開口部
９０    保持部材
ＩＬ、ＩＲ  光軸
【図１】
2010122460.tif 000003
【図２】
2010122460.tif 000004
【図３】
2010122460.tif 000005
【図４】
2010122460.tif 000006